(57)【要約】【課題】月間予定表に対応する週間予定表を表示させやすく、また、これらの表示面積が大きくて予定などを書き込みやすいダイアリーを提供することができる。【解決手段】  月間予定表(31,32,33)と、この月間予定表に対応する複数の週間予定表(51〜55,56〜59,510〜513)と、を有する予定表ユニット(21,22,23)が複数月分連続した構成を備えており、前記月間予定表は、見開きページに、所定月の１ヶ月分の日付が各週毎に改行して表示されており、前記複数の週間予定表は、前記月間予定表が表示されている見開きページに続く複数の見開きページに、前記月間予定表に表示された１ヶ月分の日付が各週毎に順次割り振って表示されている、ダイアリー１とした。【選択図】図２
2015003485.tif 000002
【特許請求の範囲】
【請求項１】
月間予定表と、この月間予定表に対応する複数の週間予定表と、を有する予定表ユニットが複数月分連続した構成を備えており、
前記月間予定表は、
見開きページに、所定月の１ヶ月分の日付が各週毎に改行して表示されており、
前記複数の週間予定表は、
前記月間予定表が表示されている見開きページに続く複数の見開きページに、前記月間予定表に表示された１ヶ月分の日付が各週毎に順次割り振って表示されている、
ダイアリー。
【請求項２】
月間予定表の見開きページには、見開きページの端縁から外方に突出する月表示インデックスが設けられ、
複数の週間予定表の見開きページには、見開きページの端縁から外方に突出する週表示インデックスがそれぞれ設けられ、
前記月表示インデックスの突出寸法よりも、前記週表示インデックスの突出寸法が小さい、
請求項１記載のダイアリー。
【請求項３】
月間予定表に表示されている各週のうち最終週において、この最終週の途中で月の最終日となっているときには、
同じ予定表ユニットに属する複数の週間予定表のうち、最終週の週間予定表を設けない様にするとともに、
翌月の予定表ユニットに属する複数の週間予定表のうち、最初の週の週間予定表が表示されている見開きページに、週表示インデックスとは異なる位置で、見開きページの端縁から外方に突出する補助インデックスを設けた、
請求項２記載のダイアリー。
【請求項４】
月間予定表に表示されている各週のうち最終週において、この最終週の途中で月の最終日となっているときには、
この月間予定表の見開きページを開いた状態で、同じ予定表ユニットに属する複数の週間予定表それぞれが表示されている見開きページに設けられた各週表示インデックス、および翌月の予定表ユニットに属する複数の週間予定表のうち、最初の週の週間予定表が表示されている見開きページに設けられた補助インデックスが視認されるように構成した、
請求項３記載のダイアリー。
【請求項５】
予定表ユニットが１２ヶ月分連続した構成を備えた、
請求項１〜４いずれか記載のダイアリー。
【発明の詳細な説明】
【技術分野】
【０００１】
本発明は、ダイアリーに関する。詳しくは、予定などを書き込むことができる、月単位や週単位の予定表を有するダイアリーに関する。
【背景技術】
【０００２】
現在、種々のダイアリーが市販されている。例えば、１〜１２月の各月の日付をカレンダー風に表示して記入スペースを設けたものや、週単位で日付を表示して記入スペースを広くとったものなどがある。また、製本された状態のものや、いわゆるシステム手帳のように、ファイリングされたものなどがある。
【０００３】
また、ダイアリーには、月単位の予定表を１〜１２月分連続させた後、週単位の予定表をまとめて配置したものもある。これは、所定月の予定表を見ながら当該月の全体予定を把握・検討・書き込み（以降、書き込み等と称することがある）するとともに、細かな予定については、これに対応する週単位の予定表を用いて書き込み等することができるものである。しかし、所定月の予定表を見ながら当該月の全体予定を書き込み等した後、これに対応する週単位の予定表を迅速に開くことは難しかった。
【０００４】
また、下記特許文献１には「各々綴部にて一端が綴じられ、見開き状態で上下左右４欄に分割された所要枚数の記録紙群を備え、上下いずれか一方の側の記録紙群の左右両ページには週間カレンダー欄が設けられ、他方の側の記録紙群の左右両ページには、月間カレンダー欄が設けられたこと、を特徴とする分割ページ型ダイアリー。」が記載されている。本特許文献によると、このダイアリーによって、「月間と当月間の各日、曜日を常時対比、確認、検討等しながら、週間カレンダーと月間カレンダーとを同時に参照して作業計画を立てる等の使用態様を得ることができる分割ページ型ダイアリーを提供することができる。」とある。
【先行技術文献】
【特許文献】
【０００５】
【特許文献１】特開２００１−０３９０６１（請求項２、発明の効果）
【発明の概要】
【発明が解決しようとする課題】
【０００６】
上記特許文献１のダイアリーは、月間カレンダー欄と週間カレンダー欄を対比しながら作業計画を立てることなどが可能なものの、以下の課題もあった。すなわち、月間カレンダー欄と週間カレンダー欄が上下で完全に分離されている構成のため、やはり、月間カレンダー欄に対応する週間カレンダー欄を表示するのに手間取る場合があった。また、上記構成のため、月間カレンダー欄と週間カレンダー欄の各表示面積が小さくなってしまい、予定などを書き込みにくくなっていた。
【０００７】
本発明は、上記課題を解決するためのものであり、月間カレンダー欄（月間予定表）に対応する週間カレンダー欄（週間予定表）を表示させやすく、また、これらの表示面積が大きくて予定などを書き込みやすいダイアリーを提供することを目的とする。
【課題を解決するための手段】
【０００８】
上記課題を解決するために、月間予定表と、この月間予定表に対応する複数の週間予定表と、を有する予定表ユニットが複数月分連続した構成を備えており、前記月間予定表は、見開きページに、所定月の１ヶ月分の日付が各週毎に改行して表示されており、前記複数の週間予定表は、前記月間予定表が表示されている見開きページに続く複数の見開きページに、前記月間予定表に表示された１ヶ月分の日付が各週毎に順次割り振って表示されている、ダイアリーとした。
【０００９】
このダイアリーは、月間予定表の次に、この月間予定表に表示された１ヶ月分の日付が各週毎に順次割り振って表示されている複数の週間予定表があるため、月間予定表に対応する週間予定表を表示させやすい。すなわち、本発明のダイアリーは、所定月の月間予定表と翌月の月間予定表との間に、所定月を週単位に割り振って複数の見開きページに表示した週間予定表が挟まっているような構成をしているのである。
また、上記特許文献１に記載されたダイアリーは月間カレンダー欄（月間予定表）と週間カレンダー欄（週間予定表）に上下分割された構成であるが、本発明のダイアリーはこのような構成ではないため、各予定表の表示面積が大きくて書き込み等しやすい。
【００１０】
このとき、月間予定表の見開きページには、見開きページの端縁から外方に突出する月表示インデックスが設けられ、複数の週間予定表の見開きページには、見開きページの端縁から外方に突出する週表示インデックスがそれぞれ設けられ、前記月表示インデックスの突出寸法よりも、前記週表示インデックスの突出寸法が小さい、ダイアリーとすることができる。
【００１１】
このダイアリーは、月間予定表が表示されている見開きページを開いた状態で、週間予定表の見開きページの位置や、翌月の月間予定表の見開きページの位置が、インデックスによって一目瞭然となり、月間予定表に対応する週間予定表をより表示させやすく、また、任意の月の予定表も表示させやすい。
【００１２】
このとき、月間予定表に表示されている各週のうち最終週において、この最終週の途中で月の最終日となっているときには、同じ予定表ユニットに属する複数の週間予定表のうち、最終週の週間予定表を設けない様にするとともに、翌月の予定表ユニットに属する複数の週間予定表のうち、最初の週の週間予定表が表示されている見開きページに、週表示インデックスとは異なる位置で、見開きページの端縁から外方に突出する補助インデックスを設けた、ダイアリーとすることができる。
【００１３】
このダイアリーは、月間予定表に表示されている各週のうち最終週において、この最終週の途中で月の最終日となっているときであっても、当該週の週間予定表が重複することがないため、週間予定表への書き込みが二つの週間予定表に分散することを防止することができる。この点について、以下に詳説する。
前述したように、本発明のダイアリーは、所定月の月間予定表と翌月の月間予定表との間に、所定月を週単位に割り振って複数の見開きページに表示した週間予定表が挟まっているような構成をしている。このような構成によって前述した課題を解決することができるのであるが、その一方で新たな課題が生じる。
すなわち、所定月の月間予定表に表示されている各週のうち最終週において、この最終週の途中で所定月の最終日となっているときには、所定月の最終週と翌月の最初の週が週としては重なるため、所定月の最終週と翌月の最初の週とで週間予定表が重複し、当該週に予定を書き込む場合に記載が分散してしまう場合が考えられるのである。
この新たな課題を解決するため、本願発明者は創意工夫を凝らした。そして、月間予定表に表示されている各週のうち最終週において、この最終週の途中で月の最終日となっているときには、同じ予定表ユニットに属する複数の週間予定表のうち、最終週の週間予定表を設けない様にするとともに、翌月の予定表ユニットに属する複数の週間予定表のうち、最初の週の週間予定表が表示されている見開きページに、週表示インデックスとは異なる位置で、見開きページの端縁から外方に突出する補助インデックスを設けたのである。
すなわち、所定月の月間予定表に表示されている各週のうち最終週について予定を書き込む場合には、補助インデックスを参照して、翌月の最初の週の週間予定表に書き込むことができるようにしたのである。
これによって、月間予定表に表示されている各週のうち最終週において、この最終週の途中で月の最終日となっているときであっても、週間予定表が重複することはなく、週間予定表への書き込みが二つの週間予定表に分散することを防止することができるのである。
【００１４】
このとき、月間予定表に表示されている各週のうち最終週において、この最終週の途中で月の最終日となっているときには、この月間予定表の見開きページを開いた状態で、同じ予定表ユニットに属する複数の週間予定表それぞれが表示されている見開きページに設けられた各週表示インデックス、および翌月の予定表ユニットに属する複数の週間予定表のうち、最初の週の週間予定表が表示されている見開きページに設けられた補助インデックスが視認されるように構成した、ダイアリーとすることができる。
【００１５】
このダイアリーは、月間予定表に表示されている各週のうち最終週において、この最終週の途中で所定月の最終日となっているときに、この月間予定表の見開きページから補助インデックスが視認されるため、最終週に相当する週間予定表を表示させやすい。
【００１６】
また、上記何れかのダイアリーにおいて、予定表ユニットが１２ヶ月分連続した構成とすることも好ましい。
【発明の効果】
【００１７】
本発明により、月間カレンダー欄（月間予定表）に対応する週間カレンダー欄（週間予定表）を表示させやすく、また、これらの表示面積が大きくて予定などを書き込みやすいダイアリーを提供することができる。
【図面の簡単な説明】
【００１８】
【図１】１月の月間予定表を開いたダイアリーである。
【図２】ダイアリーの構成を説明するための部分斜視図（４月以降省略）である。
【図３】１月の月間予定表を開いたダイアリー（４月以降省略）である。
【図４】１月の最初の週（第１週）の週間予定表を開いた図３のダイアリー（４月以降省略）である。
【図５】１月の最終週（第５週）の週間予定表を開いた図３のダイアリー（４月以降省略）である。
【図６】２月の月間予定表を開いたダイアリー（４月以降省略）である。
【図７】３月の月間予定表を開いたダイアリー（４月以降省略）である。
【図８】３月の最初の週（第10週）の週間予定表（２月の最終週を兼ねる）を開いた図３のダイアリー（４月以降省略）である。
【発明を実施するための形態】
【００１９】
以下、図を用いてダイアリーを例示説明する。図２に示すように、ダイアリー１は、月間予定表(31,32,33)と、この月間予定表に対応する複数の週間予定表(51〜55,56〜59,510〜513)と、を有する予定表ユニット(21,22,23)が複数月分連続した構成を有する。以下、これら構成要件について説明するが、本発明およびその構成要素は、以下の説明に限定されるものではない。
なお、図１に示すように、本実施形態のダイアリーは１〜１２月分の予定表ユニットが連続した年間ダイアリーであるが、説明の都合上及び本発明を理解しやすくする目的で、図２以降は４月以降の予定表ユニットを省略して１〜３月迄の予定表ユニット(21,22,23)が連続した構成で表示してある。
また、請求項３及び請求項４にある「月間予定表に表示されている各週のうち最終週において、この最終週の途中で月の最終日となっているとき」については、項目を設けて後半に説明する。
【００２０】
［月間予定表］
月間予定表は、ダイアリー１の見開きページに、所定月の１ヶ月分の日付を表示したものである。１ヶ月分の日付は各週毎に改行して表示される。ここで、「各週毎」とあるのは、「任意の曜日から始まる7日毎」の意味である。現在市販されているダイアリーでは、日曜日又は月曜日から始まる7日を1週間単位として表示してあるものが多い。
【００２１】
図１の例では、○○○○年１月の１ヶ月分の日付（１〜３１日）が、ダイアリー１の見開き２ページに、日曜日を始まりとする１週間単位で改行して、カレンダー風に、５週分が表示されている。各週の図中左側には週番号（１週、２週・・）が付してある。なお、図２に示すように、本実施形態では、週番号を、年間を通じての連番として付与してある。
【００２２】
そして、各日付の部分には空欄があり、大まかな予定などを記入することができるようになっている。
【００２３】
また、月間予定表31が表示されている見開きページの図中右側の端縁上部から、外方に突出する月表示インデックス41が設けられ、ここに「１月」と縦に表示されている。
【００２４】
図１の例は、１〜１２月分の月間予定表を備えた年間ダイアリー１である。図１に示すように、各月の月間予定表の見開きページに設けられている月表示インデックス(41〜49,410〜412)は、見開きページの端縁から突出する位置が月毎に徐々に下方にスライドされ、最初の月（１月）の月間予定表31を開いた状態で、全ての月表示インデックス(41〜49,410〜412)が視認されるように構成してある。
【００２５】
なお、図１の例では、各週のうち最終週（第５週）において、月の最終日である３１日が週の最終日に位置しているため、後述するような「最終週の途中で月の最終日となっているとき」には該当していない。
【００２６】
［週間予定表］
週間予定表は、月間予定表が表示されている見開きページに続く複数の見開きページに、月間予定表に表示された１ヶ月分の日付を表示したものである。１ヶ月分の日付は見開きページに続く複数の見開きページに各週毎（月間予定表に表示されている各週毎）に順次割り振って表示される。
ここで、「複数の見開きページ」の「複数」は、１ヶ月が28〜31日であり1週間が7日であることを考慮すれば、１ヶ月につき４〜６週分の週間予定表が必要になるため、「4対、5対、6対」の何れかとなる。
【００２７】
例えば、図２及び図３の例では、１月の月間予定表31に続いて、この月間予定表31に表示された１ヶ月分の日付が日曜日から始まる週ごとに、５週に分けられて、５対の見開き２ページに１週〜５週としてそれぞれ表示されている。
【００２８】
図４に、１月の最初の週（第１週）の見開きページを開いた状態を示す。１月１日が木曜日であるため、３日の土曜日までが第１週に表示されている。各日付表示の下には空欄があり自由に予定などを記入することができる。また、空欄の下には24時間分のタイムテーブルが設けてあり、ここに、詳細なスケジュールを記入することができるようになっている。
【００２９】
そして、週間予定表51が表示されている見開きページの図中右側の端縁上部から、外方に突出する週表示インデックス61が設けられ、ここに「１週」と縦に表示されている。各週表示インデックス(61〜65)は、見開きページの端縁から突出する位置が週毎に徐々に下方にスライドされ、図３に示すように、１月の月間予定表31を開いた状態で、１月に属する週の全ての週表示インデックス (61〜65)が視認されるように構成してある。より詳細には、月間予定表31の各週に対応する位置に各週表示インデックス(61〜65)が概ね位置するように、各週表示インデックス(61〜65)の突出位置が決定されている。
【００３０】
また、各週表示インデックス(61〜65)が、見開きページの端縁から突出する寸法（突出寸法）は、前述した月表示インデックス(41)の突出寸法よりも小さく、本実施形態では、月表示インデックスの突出寸法の概ね半分の突出寸法である。
【００３１】
図５に、１月の最終週（第５週）の見開きページを開いた状態を示す。見開きページの図中右側の端縁下部から、外方に突出する週表示インデックス65が設けられ、ここに「５週」と縦に表示されている。
【００３２】
［予定表ユニット］
上記月間予定表(31)と、この月間予定表に対応する上記複数の週間予定表(51〜55)とで、予定表ユニット(21)が構成される（図２参照）。このような予定表ユニットを複数月分連続させてダイアリー１が構成される。
【００３３】
例えば、図２に示す例では、１月分の予定表ユニット21、２月分の予定表ユニット22、および３月分の予定表ユニット23といった具合に、各予定表ユニットを複数月分重ねて連続させるのである。年間ダイアリーであれば、通常は、１〜１２月分の予定表ユニットが重ねられたような構成となる。
【００３４】
ここで、「月間予定表に表示されている各週のうち最終週において、この最終週の途中で月の最終日となっているとき」について、以下に説明する。
【００３５】
［最終週の途中で月の最終日となっているとき］
このとき、当該月間予定表と同じ予定表ユニットに属する複数の週間予定表のうち、最終週の週間予定表を設けない構成とする。そして、翌月の予定表ユニットに属する複数の週間予定表のうち、最初の週の週間予定表が表示されている見開きページに、週表示インデックスとは異なる位置で、見開きページの端縁から外方に突出する補助インデックスを設けるのである。なお、翌月の予定表ユニットがない場合には、通常通り、最終週の週間予定表を設けることとなる。
【００３６】
例えば、図６に示すように、閏年を想定した○○○○年２月は、最終週である第10週の途中（日曜日）で、最終日（２９日）を迎えている。この場合は、当該２月の月間予定表32と同じ予定表ユニット22に属する複数の週間予定表（第６週〜第10週）のうち、最終週の週間予定表（第10週）を、図２に示すように、当該月の予定表ユニット22に設けない構成とするのである。ここで、図６だけ見ると、２月の最終週の週間予定表（第10週）が、当該月の予定表ユニットに設けてある様にも思われるが、そうなっていないことは図２に示されている。
【００３７】
そして、その代わりに、図２に示すように、翌月（３月）の予定表ユニット23に属する複数の週間予定表（第10週〜）のうち、最初の週（第10週）の週間予定表510が表示されている見開きページに、週表示インデックス610とは異なる位置で、見開きページの端縁から外方に突出する補助インデックス７を設けるのである。図２では、見開きページの端縁下部から外方に突出する補助インデックス７を設けてある。
【００３８】
図８に、第10週の週間予定表510が表示されている見開きページを開いた状態を示す。本図でも、週表示インデックス610とは異なる位置、見開きページの端縁下部から外方に突出する補助インデックス７を設けているのがわかる。また、第10週の週間予定表510には、２月の最終週に属する２９日（日）と３月の最初の週に属する１〜６日が表示されていることもわかる。
【００３９】
このような構成によって、二つの週間予定表に書き込みが分散することを防止できる。
【００４０】
さらに、図６に示すように、２月の月間予定表32の見開きページを開いた状態で、同じ予定表ユニット22に属する複数の週間予定表56〜59それぞれが表示されている見開きページに設けられた各週表示インデックス66〜69、および翌月の予定表ユニット23に属する複数の週間予定表のうち、最初の週（第10週）の週間予定表510が表示されている見開きページに設けられた補助インデックス７が視認されるように、各インデックスの突出位置をスライドさせてある。
【００４１】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【００４２】
例えば、本実施形態において、月表示インデックスには、１月、２月・・・といったように、「月番号＋月」の表示で月間予定表の目印としたが、これに限定されず、１、２、３・・・といったように、月番号だけの表示としてもよい。
【００４３】
また、本実施形態において、週表示インデックスには、１週、２週・・・といったように、「週番号＋週」で週を表示したが、これに限定されず、１、２、３・・・といったように、週番号だけで表示してもよい。このとき、月表示インデックスが月番号だけの表示の場合、これと区別するなどの目的で、数値を□で囲うようにしてもよい。さらに、週表示インデックスには、その週間予定表に表示されている日付を表示してもよい。例えば、１/３〜１/９といった表示などをすることが可能である。
【００４４】
また、ダイアリーには、月間予定表と週間予定表に加えて、年間予定表を設けてもよい。例えば、見開き２ページ又は見開き１ページに、１〜１２月の年間カレンダーを表示するなどすることができる。
【符号の説明】
【００４５】
１  ダイアリー
21,22,23  予定表ユニット
31,32,33  月間予定表
41〜49,410〜412  月表示インデックス
51〜59,510〜513  週間予定表
61〜69,610〜613  週表示インデックス
７  補助インデックス
【図１】
2015003485.tif 000003
【図２】
2015003485.tif 000004
【図３】
2015003485.tif 000005
【図４】
2015003485.tif 000006
【図５】
2015003485.tif 000007
【図６】
2015003485.tif 000008
【図７】
2015003485.tif 000009
【図８】
2015003485.tif 000010